(57)【特許請求の範囲】
【請求項１】
管体の貫通孔に着脱可能に装着され、前記管体に装着されることで管楽器の音孔を構成する筒状部を備え、
複数の前記筒状部と、複数の前記筒状部同士を接続する連結部と、を備える音孔アダプタ。
【請求項２】
前記筒状部の前記貫通孔に嵌る部分の軸方向の長さが、前記貫通孔の軸方向の長さよりも短い請求項１に記載の音孔アダプタ。
【請求項３】
前記筒状部には、前記筒状部の軸方向に貫通するアダプタ貫通孔が複数形成されている請求項１又は請求項２に記載の音孔アダプタ。
【請求項４】
前記筒状部の前記管体の内周側の端部は、前記内周側に向かうにしたがって内径が大きくなるテーパ状に形成されている請求項１から請求項３のいずれか一項に記載の音孔アダプタ。
【請求項５】
前記筒状部の前記管体の内周側の端部は、前記内周側に向かうにしたがって外径が小さくなるテーパ状に形成されている請求項１から請求項３のいずれか一項に記載の音孔アダプタ。
【請求項６】
請求項１から請求項５のいずれか一項に記載の前記音孔アダプタと、複数の前記貫通孔を有する管体とを備える管楽器。
【請求項７】
前記音孔アダプタは、前記筒状部の外周面から前記筒状部の径方向の外側に延出するフランジ部を有し、
前記管体は、前記管体の外周面でかつ前記貫通孔の周囲に形成され前記フランジ部に嵌合する収納凹部を有する請求項６に記載の管楽器。
【請求項８】
前記管体に対する前記音孔アダプタの着脱又は交換によって、運指方法をバロック運指とジャーマン運指とに切り換え可能な請求項６に記載の管楽器。
【発明の詳細な説明】
【技術分野】
【０００１】
本発明は、音孔アダプタ及びこれを備える管楽器に関する。
本願は、２０１６年９月２０日に、日本に出願された特願２０１６−１８３４３０号に基づき優先権を主張し、その内容をここに援用する。
【背景技術】
【０００２】
複数の音孔を管体に形成した管楽器では、管楽器の種類に応じて様々な運指方法が採用されている。例えば、例えば非特許文献１に示すリコーダーには、バロック運指を採用したものと、ジャーマン運指を採用したものとがあり、各運指方法に適した管体が製造されている。
【先行技術文献】
【非特許文献】
【０００３】
【非特許文献１】「Ｒｅｃｏｒｄｅｒｓ」、株式会社ヤマハミュージックジャパン、２０１４年１２月
【発明の概要】
【発明が解決しようとする課題】
【０００４】
しかしながら、従来の管楽器では、同一の管体を用いて複数種類の運指方法に切り換えることができない。
また、従来の管楽器では、アンサンブルでの演奏などにおいて、管楽器のピッチ（音程）の微調整を行うためには、演奏者の特殊でかつ繊細な指使いが必要となる。すなわち、従来の管楽器は、ピッチ（音程）の微調整を行うことが難しい。【０００５】
本発明は、上述した事情に鑑みてなされたものであって、同一の管体を用いても様々な運指方法で演奏可能であり、また、管楽器のピッチの微調整を容易に行うことを可能とする音孔アダプタ及びこれを備える管楽器を提供することを目的とする。
【課題を解決するための手段】
【０００６】
本発明は、管体の貫通孔に着脱可能に装着され、前記管体に装着されることで管楽器の音孔を構成する筒状部を備え、複数の前記筒状部と、複数の前記筒状部同士を接続する連結部と、を備える音孔アダプタを提供する。
また、本発明は、前記音孔アダプタと、複数の貫通孔を有する管体と、を備える管楽器を提供する。
【発明の効果】
【０００７】
本発明によれば、管体に対して音孔アダプタを着脱するだけで、管楽器における音孔の径及び長さの少なくとも一方を変えることができる。これにより、同一の管体を用いて様々な運指方法で管楽器を演奏することが可能となる。また、管体に対して音孔アダプタを着脱するだけで、管楽器のピッチ（音程）を簡単に微調整することも可能となる。
【図面の簡単な説明】
【０００８】
【図１】本発明の第一実施形態に係る音孔アダプタを装着した管楽器を示す正面図である。
【図２】図１のII−II矢視断面図である。
【図３】図２のIII−III矢視断面図である。
【図４】本発明の第二実施形態に係る音孔アダプタを装着した管楽器の要部を示す正面図である。
【図５】図４のV−V矢視断面図である。
【図６】本発明の第三実施形態に係る音孔アダプタの第一例を示す斜視図である。
【図７】本発明の第三実施形態に係る音孔アダプタの第二例を示す斜視図である。
【図８】本発明の第一実施形態の第一変形例に係る音孔アダプタを装着した管楽器を示す断面図である。
【図９】本発明の第一実施形態の第二変形例に係る音孔アダプタを装着した管楽器を示す断面図である。
【図１０】本発明の第一実施形態の第三変形例に係る音孔アダプタを装着した管楽器を示す断面図である。
【発明を実施するための形態】
【０００９】
〔第一実施形態〕
以下、図１から図３を参照して本発明の第一実施形態について説明する。
図１，２に示すように、本実施形態の管楽器１は、リコーダーであり、管体２と、音孔アダプタ１０と、を備える。
【００１０】
管体２は、筒状に形成されている。管体２には管楽器１における音孔３を構成する複数の貫通孔４が、管体２の軸方向に間隔をあけて配列されている。各貫通孔４は、貫通孔４の軸方向から見て、例えば多角形状に形成されてもよいが、本実施形態では円形状に形成されている。管体２の軸方向の第一端にはマウスピース５が設けられている。管体２の軸方向の第二端は、外側に開口している。
本実施形態の管楽器１では、七つの貫通孔４が管体２の軸方向に配列されている。管体２の第一端側から六番目、七番目の貫通孔４−６，４−７は、それぞれダブルホールとなっている。
【００１１】
図２，３に示すように、音孔アダプタ１０は、管体２に装着されることで管楽器１の音孔３を構成する筒状部１１を備える。音孔アダプタ１０は、管体２の貫通孔４の形成部分に着脱可能とされている。音孔アダプタ１０は、管体２に対して着脱されることで、管楽器１における音孔３の径及び長さの少なくとも一方を変える。
【００１２】
筒状部１１には、その軸方向に貫通するアダプタ貫通孔１５が形成されている。アダプタ貫通孔１５は、筒状部１１を管体２の貫通孔４の形成部分に装着した状態で管楽器１の音孔３を構成する。軸方向から見たアダプタ貫通孔１５の形状は、例えば多角形状など任意に形成されてよいが、本実施形態では円形状に形成されている。本実施形態の筒状部１１には、アダプタ貫通孔１５が一つだけ形成されている。
【００１３】
本実施形態の筒状部１１は、管体２の貫通孔４に嵌まる。軸方向から見た筒状部１１の外周の形状は、筒状部１１を嵌める貫通孔４の形状に対応していればよい。筒状部１１は、貫通孔４の内周面との間に隙間が生じないように、貫通孔４に挿入されるとよい。筒状部１１は、貫通孔４のうち管体２の外側に開口する外側開口端から挿入される。筒状部１１は、例えばゴム等の弾性材料によって構成されてよい。
【００１４】
筒状部１１のアダプタ貫通孔１５の径（筒状部１１の内径）は、少なくとも筒状部１１を嵌める貫通孔４の内径よりも小さく設定されればよい。また、筒状部１１は管楽器１の音孔３を構成するため、アダプタ貫通孔１５の径は、例えば管楽器１における発音性能が低下しない程度に大きく設定されればよい。
軸方向から見た筒状部１１の外周の中心とアダプタ貫通孔１５の中心とは、例えば互いにずれてもよいが、本実施形態では、互いに一致している。
本実施形態の音孔アダプタ１０は、上記の筒状部１１を一つだけ備える。
【００１５】
また、本実施形態の音孔アダプタ１０は、フランジ部１２を備える。
フランジ部１２は、筒状部１１の外周面から筒状部１１の径方向において筒状部１１の外側に延出している。フランジ部１２は、筒状部１１に一体に形成されている。フランジ部１２は、例えば筒状部１１の周方向に間隔をあけて複数配列されてもよいが、本実施形態では筒状部１１の軸方向から見て環状に形成されている。フランジ部１２は、筒状部１１を貫通孔４に嵌めた状態で管体２の外周面２ａに当接する。
フランジ部１２は、管体２を軸方向から見て、例えば筒状部１１の外周面から筒状部１１の径方向に直線状に延びてもよいが、本実施形態では、筒状部１１の外周面から管体２の外周面２ａに沿うように湾曲して延びている（特に図３参照）。これにより、フランジ部１２は、筒状部１１を貫通孔４に嵌めた状態で、管体２の外周面２ａに面接触する。
【００１６】
フランジ部１２は、例えば筒状部１１の軸方向の中途部に設けられてもよいが、本実施形態では筒状部１１の軸方向の第一端部に設けられている。筒状部１１の軸方向におけるフランジ部１２の厚みは、少なくとも軸方向における筒状部１１の長さよりも小さければ任意であってよい。本実施形態では、筒状部１１の長さに対するフランジ部１２の厚みの割合が非常に小さく（例えば１／３以下に）設定されている。このため、音孔アダプタ１０の筒状部１１を管体２の貫通孔４に嵌めることで、主に管楽器１の音孔３の径が小さくなる、すなわち音孔３の径が変化する。一方、音孔３の長さは、微小に長くなるものの、大きく変化しない。
【００１７】
なお、フランジ部１２が、筒状部１１の軸方向の中途部に設けられている場合や、筒状部１１の長さに対するフランジ部１２の厚みの割合が大きい場合には、音孔アダプタ１０の筒状部１１を管体２の貫通孔４に嵌めると、筒状部１１の一部が管体２の外周面２ａから大きく突出する。このため、音孔３の径だけでなく、音孔３の長さも大きく変えることができる。
【００１８】
筒状部１１のうち貫通孔４に嵌まる部分の軸方向長さＣＬは、例えば貫通孔４の軸方向長さと等しくてもよいが、本実施形態では、貫通孔４の軸方向長さＨＬよりも短く設定されている。図２および図３から明らかなように、筒状部１１の貫通孔４に嵌まる部分の軸方向長さＣＬは、フランジ部１２の厚みを含んでいない。この実施形態によれば、筒状部１１の軸方向の長さＣＬを貫通孔４の長さＨＬと等しくしたときと比較して、筒状部１１の厚さＣＴを厚くできるので、音孔アダプタ１０の製造が容易である。また、音孔アダプタ１０を管体２の貫通孔４から取り外すことおよび音孔アダプタ１０を貫通孔４へ装着することが容易である。
【００１９】
図１，２に示すように、本実施形態の管楽器１は、上記の音孔アダプタ１０を二つ備える。
本実施形態の管楽器１において、二つの音孔アダプタ１０（１０Ａ，１０Ｂ）は、管体２の第一端側から四番目及び五番目の貫通孔４−４，４−５に対して着脱可能とされている。二つの音孔アダプタ１０Ａ，１０Ｂでは、筒状部１１の外径が互いに等しいが、筒状部１１のアダプタ貫通孔１５の径が互いに異なる。また、二つの音孔アダプタ１０Ａ，１０Ｂにおいて、筒状部１１の軸方向の長さは、図示例のように互いに等しくてもよいし、例えば互いに異なってもよい。
【００２０】
図１，２においては、アダプタ貫通孔１５の径が大きい第一音孔アダプタ１０Ａが、四番目の貫通孔４−４に装着されている。また、アダプタ貫通孔１５の径が小さい第二音孔アダプタ１０Ｂが、五番目の貫通孔４−５に装着されている。すなわち、管楽器１において管体２の第一端側から四番目及び五番目の音孔３−４，３−５は、二つの音孔アダプタ１０Ａ，１０Ｂの筒状部１１によって構成されている。
一方、管体２の第一端側から一番目から三番目、六番目及び七番目の音孔３−１，３−２，３−３，３−６，３−７は、それぞれ貫通孔４（４−１，４−２，４−３，４−６，４−７）のみによって構成されている。
【００２１】
上記のように二つの音孔アダプタ１０Ａ，１０Ｂを管体２に取り付けた状態においては、管楽器１を、四番目の音孔３−４の径が五番目の音孔３−５よりも大きいジャーマン運指のリコーダーとして構成することができる。
また、第一音孔アダプタ１０Ａを管体２の五番目の貫通孔４−５に装着し、第二音孔アダプタ１０Ｂを管体２の四番目の貫通孔４−４に装着した場合には、管楽器１を、四番目の音孔３−４の径が五番目の音孔３−５よりも小さいバロック運指のリコーダーとして構成することができる。
すなわち、本実施形態の管楽器１は、管体２に対する音孔アダプタ１０の着脱や交換によって、運指方法をバロック運指とジャーマン運指とに切り換え可能である。
【００２２】
以上説明したように、本実施形態の音孔アダプタ１０及び管楽器１によれば、同一の管体２に対して音孔アダプタ１０を着脱するだけで、管楽器１における音孔３の径及び長さの少なくとも一方を変えることができる。これにより、同一の管体２を用いて様々な運指方法で管楽器１を演奏することが可能となる。
【００２３】
また、本実施形態の音孔アダプタ１０及び管楽器１によれば、管体２の貫通孔４に対して音孔アダプタ１０を着脱するだけで、管楽器１の音孔３の径や長さを簡単に変えることができる。管楽器１の音孔３の径や長さが変わることで、管楽器１のピッチ（音程）を微調整することができる。すなわち、管体２に対して音孔アダプタ１０を着脱するだけで、管楽器１のピッチ（音程）を簡単に微調整することも可能となる。
【００２４】
また、本実施形態の音孔アダプタ１０及び管楽器１によれば、筒状部１１が管体２の貫通孔４に嵌まるように構成されている。したがって、音孔アダプタ１０を安定して管体２に保持することができる。
【００２５】
また、本実施形態の音孔アダプタ１０は、筒状部１１の外周面から外側に延出するフランジ部１２を備える。これにより、軸方向において貫通孔４に対する筒状部１１の位置決めを容易に行うことができる。したがって、管楽器１のピッチ（音程）の微調整をさらに容易に行うことができる。
【００２６】
また、本実施形態の音孔アダプタ１０及び管楽器１によれば、フランジ部１２が管体２の外周面２ａに当接することで、音孔アダプタ１０によって構成された管楽器１の音孔３の周囲において、管体２の外周面２ａとフランジ部１２との間に段差が生じる。この段差部分に指を引っ掛ける等することで、音孔アダプタ１０を簡単に管体２から取り外すことができる。
【００２７】
また、本実施形態の音孔アダプタ１０及び管楽器１によれば、フランジ部１２が管体２の外周面２ａに沿うように湾曲している。このため、音孔アダプタ１０によって構成された管楽器１の音孔３を演奏者の手指で塞ぐ際、演奏者の手指に伝わる感覚を、音孔アダプタ１０が無い場合の感覚に近づけることができる。すなわち、音孔アダプタ１０を装着しても音孔アダプタ１０が無い場合と同様の感覚で管楽器１の音孔３を開閉することができる。
また、フランジ部１２が管体２の外周面２ａに沿うように湾曲していることで、貫通孔４の内周面及び貫通孔４に嵌まる筒状部１１の外周面が円形状であっても、筒状部１１が貫通孔４に嵌まった状態で管体２に対して不意に回転してしまうことを防止できる。
【００２８】
第一実施形態の管楽器１は、例えば音孔アダプタ１０を一つだけ備えてもよい。
このような構成では、例えば、音孔アダプタ１０を管体２の五番目の貫通孔４−５のみに装着して五番目の音孔３−５を音孔アダプタ１０の筒状部１１によって構成する。また、管体２の四番目の貫通孔４−４を四番目の音孔３−４として構成する。これにより、管楽器１を、四番目の音孔３−４の径が五番目の音孔３−５よりも大きいジャーマン運指のリコーダーとして構成することができる。
また、例えば、音孔アダプタ１０を管体２の四番目の貫通孔４−４のみに装着して四番目の音孔３−４を音孔アダプタ１０の筒状部１１によって構成する。また、管体２の五番目の貫通孔４−５を五番目の音孔３−５として構成する。これにより、管楽器１を、四番目の音孔３−４の径が五番目の音孔３−５よりも小さいバロック運指のリコーダーとして構成することができる。
【００２９】
音孔アダプタ１０が一つだけの場合には、上記したように、運指方法によって音孔アダプタ１０を装着する管体２の位置が異なる。すなわち、音孔アダプタ１０のフランジ部１２（特に管体２の外周面２ａとフランジ部１２との段差）に触れる演奏者の指が異なる。
このため、演奏者は手指の感覚だけでどの運指方法で演奏すればよいか、容易に把握することが可能となる。
【００３０】
第一実施形態の音孔アダプタ１０は、例えばフランジ部１２を備えなくてもよい。この場合、筒状部１１は、例えば管体２の外周面２ａから突出しないように貫通孔４に嵌められてもよい。また、このように筒状部１１を貫通孔４に嵌める場合、筒状部１１のうち管体２の外周面２ａ側の端面は、管体２の外周面２ａに倣う湾曲面に形成されてもよい。
このような構成では、筒状部１１を貫通孔４に嵌めた状態で、筒状部１１の端面を管体２の外周面２ａと面一に形成できる。すなわち、筒状部１１と管体２の外周面２ａとの間に段差が生じることを防止できる。これにより、演奏者の手指が前述の段差に引っ掛ることを防ぎ、管楽器１を円滑に演奏することが可能となる。
【００３１】
〔第二実施形態〕
次に、図４，５を参照して本発明の第二実施形態について説明する。本実施形態の音孔アダプタは、第一実施形態の音孔アダプタ１０と比較して、主に筒状部の数が異なり、他の構成については同様である。本実施形態では、第一実施形態と同様の構成要素について同一符号を付す等して、その説明を省略する。
【００３２】
図４，５に示すように、本実施形態の音孔アダプタ１０Ｃは、複数の筒状部１１と、複数の筒状部１１同士を接続する連結部１３と、を備える。本実施形態の音孔アダプタ１０Ｃは、筒状部１１を二つ備える。二つの筒状部１１（１１Ｃ，１１Ｄ）は、連結部１３によって接続されている。
各筒状部１１の構成は第一実施形態と同様であってよい。本実施形態において、二つの筒状部１１Ｃ，１１Ｄの外径は互いに等しいが、二つの筒状部１１Ｃ，１１Ｄのアダプタ貫通孔１５の径は互いに異なる。二つの筒状部１１Ｃ，１１Ｄの軸方向の長さは、図示例のように互いに等しくてもよいし、例えば互いに異なってもよい。
【００３３】
連結部１３は、第一筒状部１１Ｃ（一の筒状部）の外周面から第二筒状部１１Ｄ（他の筒状部）の外周面まで延びて形成されている。連結部１３は複数の筒状部１１に一体に形成されている。
筒状部１１の軸方向における連結部１３の厚みは、任意であってよいが、本実施形態では小さく（例えば軸方向における筒状部１１の長さに対して小さく）設定されている。このため、音孔アダプタ１０Ｃの筒状部１１を貫通孔４に嵌めることで、主に管楽器１Ｃの音孔３の径が小さくなる、すなわち音孔３の径が変化する。一方、音孔３の長さは、微小に長くなるものの、大きく変化しない。
連結部１３は、各筒状部１１の軸方向の任意の位置に接続されてよい。本実施形態では、連結部１３が二つの筒状部１１Ｃ，１１Ｄの軸方向の第一端部同士を接続している。
【００３４】
また、本実施形態の音孔アダプタ１０Ｃは、複数の筒状部１１及び連結部１３を一括して囲むフランジ部１４を備える。フランジ部１４は、筒状部１１及び連結部１３に一体に形成されている。図４では、連結部１３とフランジ部１４との境界を仮想線ＶＬで示している。
フランジ部１４は、本実施形態の連結部１３と同様に、各筒状部１１の軸方向の任意の位置に接続されてよい。本実施形態のフランジ部１４は、連結部１３と同様に、二つの筒状部１１Ｃ，１１Ｄの軸方向の第一端部同士を接続している。
【００３５】
連結部１３及びフランジ部１４は、二つの筒状部１１Ｃ，１１Ｄを各々対応する管体２の貫通孔４に嵌めた状態で、管体２の外周面２ａに接触する。連結部１３及びフランジ部１４は、第一実施形態のフランジ部１２と同様に、管体２を軸方向から見て、例えば筒状部１１の外周面から径方向に直線状に延びてもよいし、例えば筒状部１１の外周面から管体２の外周面２ａに沿うように湾曲して延びてもよい。
【００３６】
本実施形態では、アダプタ貫通孔１５の径が大きい第一筒状部１１Ｃが四番目の貫通孔４−４に嵌まるように、かつ、アダプタ貫通孔１５の径が小さい第二筒状部１１Ｄが五番目の貫通孔４−５に嵌まるように、音孔アダプタ１０Ｃが管体２に装着されている。この状態において、連結部１３及びフランジ部１４は管体２の外周面２ａに当接している。このように音孔アダプタ１０Ｃを管体２に取り付けた状態においては、管楽器１Ｃを、四番目の音孔３−４の径が五番目の音孔３−５よりも大きいジャーマン運指のリコーダーとして構成することができる。
一方、第一筒状部１１Ｃが管体２の五番目の貫通孔４−５に嵌まるように、かつ、第二筒状部１１Ｄが四番目の貫通孔４−４に嵌まるように、音孔アダプタ１０Ｃを管体２に装着した場合には、管楽器１Ｃを、四番目の音孔３−４の径が五番目の音孔３−５よりも小さいバロック運指のリコーダーとして構成することができる。
すなわち、本実施形態の管楽器１Ｃは、管体２に対する音孔アダプタ１０Ｃの着脱や交換によって、運指方法をバロック運指とジャーマン運指とに切り換え可能である。
【００３７】
本実施形態の音孔アダプタ１０Ｃによれば、第一実施形態と同様の効果を奏する。
また、本実施形態の音孔アダプタ１０Ｃでは、複数の筒状部１１が連結部１３によって連結されている。このため、一つの音孔アダプタ１０Ｃを管体２に対して着脱するだけで、管楽器１Ｃの複数の音孔３の径や長さを一括して変更できる。したがって、管楽器１Ｃにおける運指方法の変更を簡単に行うことができる。
また、複数の筒状部１１が個別の部品である場合と比較して、音孔アダプタ１０Ｃを紛失する可能性を低減できる。
【００３８】
第二実施形態の音孔アダプタ１０Ｃにおいて、筒状部１１の軸方向における連結部１３の厚みは、例えば複数の筒状部１１の軸方向長さと同じであってもよい。この場合、管体２の貫通孔４は、複数の筒状部１１及び連結部１３を一括して嵌めることができるように形成されればよい。すなわち、管体２には、図４，５に示す四番目及び五番目の貫通孔４−４，４−５を含む大きな一つの貫通孔が形成されればよい。
【００３９】
〔第三実施形態〕
次に、図６，７を参照して本発明の第三実施形態について説明する。本実施形態の音孔アダプタは、第一実施形態の音孔アダプタ１０と比較して、主に筒状部の構成が異なり、他の構成については同様である。本実施形態では、第一実施形態と同様の構成要素について同一符号を付す等して、その説明を省略する。
【００４０】
図６，７に示すように、本実施形態の音孔アダプタ１０Ｅ，１０Ｆは、第一実施形態と同様に、管体２の貫通孔４（図１，２参照）の形成部分に着脱可能とされ、管楽器の音孔３を構成する筒状部１１を備える。本実施形態の筒状部１１には、筒状部１１の軸方向に貫通するアダプタ貫通孔１５が、二つ形成されている。筒状部１１の軸方向から見た二つのアダプタ貫通孔１５，１５の大きさは、図６，７のように互いに異なっていてもよいし、例えば互いに同じであってもよい。
【００４１】
筒状部１１の軸方向から見た各アダプタ貫通孔１５の形状は、任意であってよい。図６に例示する音孔アダプタ１０Ｅでは、筒状部１１の軸方向から見た各アダプタ貫通孔１５Ｅの形状が、円形状とされている。図７に例示する音孔アダプタ１０Ｆでは、筒状部１１の軸方向から見た二つのアダプタ貫通孔１５Ｆ，１５Ｆ全体の形状が円形状とされている。そして、二つのアダプタ貫通孔１５Ｆ，１５Ｆは、それぞれ円形状を二つに分割した形状（例えば半円状）に形成されている。図７に例示する音孔アダプタ１０Ｆでは、筒状部１１の軸方向から見た各アダプタ貫通孔１５の面積を、図６に例示する音孔アダプタ１０Ｅと比較して大きく形成できる。
【００４２】
本実施形態の音孔アダプタ１５Ｅ，１５Ｆは、例えば第一実施形態の場合と同様に、フランジ部１２を管体２の外周面２ａに沿うように湾曲して形成したり、筒状部１１の外周及びこれに対応する管体２の貫通孔４の内周を多角形状に形成したりしてもよい。また、筒状部１１が貫通孔４に嵌まった状態で、筒状部１１の外周と貫通孔４の内周とが高い摩擦力で保持されてもよい。このような構成では、筒状部１１が貫通孔４に嵌まった状態で管体２に対して不意に回転することを防止できる。すなわち、本実施形態の音孔アダプタ１０Ｅ，１０Ｆは、筒状部１１が管体２の貫通孔４の形成部分に装着された状態で、筒状部１１が貫通孔４の軸線を中心に回転することを防ぐ回転止め機構を備えてもよい。
また、本実施形態の音孔アダプタ１０Ｅ，１０Ｆは、例えば筒状部１１の外周及びこれに対応する貫通孔４の内周を円形状に形成する等して、筒状部１１が貫通孔４に嵌まった状態で管体２に対して回転可能とされてもよい。
【００４３】
本実施形態の音孔アダプタ１０Ｅ，１０Ｆによれば、第一実施形態と同様の効果を奏する。
また、本実施形態の音孔アダプタ１０Ｅ，１０Ｆでは、筒状部１１に二つのアダプタ貫通孔１５，１５が形成されている。このため、音孔アダプタ１０Ｅ，１０Ｆを管体２の貫通孔４の形成部分に装着するだけで、管楽器の音孔３をダブルホールとすることができる。これにより、管楽器において、クロス運指、フォーク運指などの複雑な指使いをすることなく、半音の音程変化を簡単に行うことが可能となる。
例えば、音孔３のダブルホールの両方（二つのアダプタ貫通孔１５，１５）を開放した状態からダブルホールの一方（一方のアダプタ貫通孔１５）を塞ぐだけで、音程を簡単に半音下げることができる。また、音孔３のダブルホールの両方を塞いだ状態からダブルホールの一方を開放するだけで、音程を簡単に半音上げることができる。
【００４４】
また、図７に例示した音孔アダプタ１０Ｆでは、筒状部１１の軸方向から見た二つのアダプタ貫通孔１５Ｆ，１５Ｆ全体の形状が円形状とされていることで、筒状部１１の軸方向から見た各アダプタ貫通孔１５Ｆの面積を大きく設定できる。これにより、例えば第一実施形態の音孔アダプタ１０を図７に例示した音孔アダプタ１０Ｆに交換して、管楽器の音孔３をシングルホールからダブルホールに変えても、管楽器における音程の低下を好適に抑制できる。また、管楽器における音の抜けが低下することも抑制できる。
【００４５】
また、本実施形態の音孔アダプタ１０Ｅ，１０Ｆが回転止め機構を備える場合には、筒状部１１が管体２の貫通孔４の形成部分に装着された状態で、管体２に対する二つのアダプタ貫通孔１５，１５の配列方向が筒状部１１の回転によって変わることを防止できる。
したがって、管楽器における音程のずれを防ぐことができる。
【００４６】
また、本実施形態の音孔アダプタ１０Ｅ，１０Ｆにおいて、筒状部１１が貫通孔４に嵌まった状態で管体２に対して回転可能である場合には、管体２に対する二つのアダプタ貫通孔１５，１５の配列方向を筒状部１１の回転によって変化させることができる。これにより、演奏者の手指の大きさや長さ、また、演奏者の好みに応じて、二つのアダプタ貫通孔１５，１５の配列方向を変えることができるため、管楽器の操作性の向上を図ることができる。
【００４７】
本実施形態の音孔アダプタ１０Ｅ，１０Ｆは、一部の音孔３がダブルホールとなっている現代のリコーダー（図１に例示した管楽器１）に適用されてもよいし、全ての音孔３がシングルホールとなっている（ダブルホールがない）ルネサンスリコーダーに適用されてもよい。本実施形態の音孔アダプタ１０Ｅ，１０Ｆをルネサンスリコーダーに適用した場合、ルネサンスリコーダーを現代のリコーダーとして構成することも可能となる。
同一の筒状部１１に二つのアダプタ貫通孔１５，１５が形成されている本実施形態の構成は、例えば第二実施形態の音孔アダプタ１０Ｃに適用されてもよい。
【００４８】
以上、本発明について詳細に説明したが、本発明は上記実施形態に限定されるものではなく、本発明の趣旨を逸脱しない範囲において種々の変更を加えることが可能である。
【００４９】
本発明の管楽器では、例えば図８に示すように、管体２に収容凹部６が形成されてもよい。収容凹部６は、管体２の外周面２ａから窪んで形成されている。収容凹部６には、第一実施形態のフランジ部１２や、第二実施形態の連結部１３、フランジ部１４を収容可能である。収容凹部６の底面は、例えば図８のように管体２の外周面２ａに沿って湾曲してもよいが、例えば平坦に形成されてもよい。
管体２に収容凹部６が形成されている場合には、筒状部１１を管体２の貫通孔４に嵌めた状態で、第一実施形態のフランジ部１２や、第二実施形態の連結部１３、フランジ部１４と、管体２の外周面２ａとの間に段差が生じることを抑制できる。
【００５０】
また、上記の収容凹部６を管体２に形成する場合、第一実施形態のフランジ部１２や、第二実施形態の連結部１３、フランジ部１４のうち、管体２の外周面２ａと同じ側に向く面（外側面）は、図８に例示するように、管体２の外周面２ａに沿う湾曲面に形成されてもよい。
この場合には、筒状部１１を貫通孔４に嵌めた状態で、第一実施形態のフランジ部１２や、第二実施形態の連結部１３、フランジ部１４の湾曲した外側面を管体２の外周面２ａと面一に形成できる。すなわち、第一実施形態のフランジ部１２や、第二実施形態の連結部１３、フランジ部１４と、管体２の外周面２ａとの間に段差が生じることを防止できる。これにより、演奏者の手指が上記の段差に引っ掛ることを防ぎ、管楽器を円滑に演奏することが可能となる。
【００５１】
例えば図９に示すように、音孔アダプタ１０Ｇの筒状部１１Ｇのうち管体２の内周面側の端部（第二端部）は、筒状部１１Ｇのうち管体２の外周面２ａ側の端部（第一端部）から第二端部に向かうにしたがって筒状部１１Ｇの内径（アダプタ貫通孔１５の径）が大きくなるテーパ状に形成されてもよい。このような筒状部１１Ｇを管体２の貫通孔４に嵌めた場合には、管楽器のピッチ（音程）を上げることができる。また、管楽器における音の抜けを向上できる。
【００５２】
さらに、図１０に示すように、音孔アダプタ１０Ｈの筒状部１１Ｈの第二端部は、筒状部１１Ｈの軸方向において第一端部から第二端部に向かうにしたがって筒状部１１Ｈの外径が小さくなるテーパ状に形成されてもよい。この場合、筒状部１１Ｈを容易に管体２の貫通孔４に嵌めることが可能となる。
【００５３】
本発明の音孔アダプタにおいて、同一の筒状部に形成されるアダプタ貫通孔の数は、例えば三つ以上であってもよい。この場合、管楽器の音孔を三つ以上のアダプタ貫通孔によって構成できる。これにより、同一の音孔を構成する三つ以上のアダプタ貫通孔のうち塞ぐアダプタ貫通孔の数を変えるだけで、管楽器のピッチ（音程）を簡単に微調整することができる。
【００５４】
本発明の音孔アダプタにおいて、筒状部は、少なくとも管体のうち貫通孔の形成部分に着脱可能とされればよい。筒状部は、例えば貫通孔を管体の外側に延長させるように管体の外周面に着脱可能とされてもよい。この場合には、管体に対する音孔アダプタの着脱によって音孔の長さを積極的に変えることができる。
【００５５】
本発明の管楽器は、少なくとも音孔を構成するための貫通孔を有していればよく、例えばフルート、クラリネット、サクソフォン、ファゴット、オカリナなどであってもよい。
【符号の説明】
【００５６】
１，１Ｃ：管楽器、
２：管体、
３：音孔、
４：貫通孔、
１０，１０Ａ，１０Ｂ，１０Ｃ，１０Ｅ，１０Ｆ，１０Ｇ：音孔アダプタ、
１１，１１Ｃ，１１Ｄ，１１Ｇ：筒状部、
１３：連結部、
１５，１５Ｅ，１５Ｆ：アダプタ貫通孔
【図１】
0006607322.tif 000002
【図２】
0006607322.tif 000003
【図３】
0006607322.tif 000004
【図４】
0006607322.tif 000005
【図５】
0006607322.tif 000006
【図６】
0006607322.tif 000007
【図７】
0006607322.tif 000008
【図８】
0006607322.tif 000009
【図９】
0006607322.tif 000010
【図１０】
0006607322.tif 000011